【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
組織を把持するためのシステムであって、
グラスパーを備え、前記グラスパーは、
貫通する内腔を有する胴部を備える本体と、
前記本体に回転可能に連結された第１の顎と、
第２の顎と、
前記第１の顎から延在する近位アームであって、前記近位アームの少なくとも一部が前記本体から露出する、近位アームと、
を備え、
前記近位アームの露出部分と前記本体とに印加される力が前記第１の顎を前記第２の顎に対して回転させるように前記装置が構成され、前記胴部の前記内腔を通じた作動ロッドの前進が前記第１の顎を前記第２の顎に対して回転させるように前記装置が構成された、システム。
【請求項２】
前記内腔が近位セグメントと遠位セグメントとを備え、前記近位セグメントの直径が前記遠位セグメントの直径よりも大きい、請求項１に記載のシステム。
【請求項３】
前記内腔が前記近位セグメントと前記遠位セグメントとの間に中間セグメントをさらに備え、前記中間セグメントの直径が前記近位セグメントの直径及び前記遠位セグメントの直径よりも大きい、請求項２に記載のシステム。
【請求項４】
前記装置の少なくとも一部が少なくとも１種の磁性材料または強磁性材料から形成された、請求項１に記載のシステム。
【請求項５】
前記第１の顎に取り付けられた偏心カム部材をさらに備え、前記偏心カム部材の回転が前記第１の顎を回転させるように構成された、請求項１に記載のシステム。
【請求項６】
前記近位アームが湾曲セグメントを備える、請求項１に記載のシステム。
【請求項７】
前記近位アームが、前記湾曲セグメントと前記第１の顎との間に位置する直線状セグメントをさらに備える、請求項６に記載のシステム。
【請求項８】
前記第１の顎が前記第２の顎に向けて回転的に偏向する、請求項１に記載のシステム。
【請求項９】
把柄と、前記グラスパーに着脱可能に連結するように構成された遠位係合部と、前記把柄と前記遠位係合部とを接続するシャフトと、作動ロッドと、を備える送達装置、
をさらに含み、
前記第１の顎を前記第２の顎に対して回転させるために前記作動ロッドが前記内腔を通じて前進可能である、
請求項１に記載のシステム。
【請求項１０】
前記送達装置が拡張可能な遠位部分を有するロッキングシースを備え、前記送達装置が前記胴部の前記内腔内で前記拡張可能な遠位部分を非拡張形態から拡張形態へと拡張させて前記ロッキングシースを前記グラスパーに連結させるように構成された、請求項９に記載のシステム。
【請求項１１】
前記作動ロッドが前記ロッキングシース内に配置され、前記作動ロッドの前記ロッキングシースに対する前進が前記ロッキングシースの前記拡張可能な遠位部分を拡張させるように構成された、請求項１０に記載のシステム。
【請求項１２】
前記遠位係合部が連結磁石を備える、請求項９に記載のシステム。
【請求項１３】
前記連結磁石の牽引が前記グラスパーを前記遠位係合部から分離させる、請求項１２に記載のシステム。
【請求項１４】
前記作動ロッドの牽引が前記連結磁石を牽引するように構成された、請求項１３に記載のシステム。
【請求項１５】
前記遠位係合部が、前記連結磁石を前進位置へと偏向させるために配置されたばねを備える、請求項１２に記載のシステム。
【手続補正２】
【補正対象書類名】明細書
【補正対象項目名】０００９
【補正方法】変更
【補正の内容】
【０００９】
一部のバリエーションにおいて、送達装置の遠位係合部は連結磁石を備えてよい。これらのバリエーションの一部において、連結磁石の牽引により、グラスパーを遠位係合部から分離させてよい。作動ロッドの牽引は連結磁石を牽引するように構成されてよい。一部のバリエーションにおいて、遠位係合部は、連結磁石を前進位置へと偏向させるために配置されたばね（例えば、トーションばね、片持ちばね等）を備えてよい。
本発明は、例えば、以下を提供する。
（項目１）
組織を把持するための装置であって、
貫通する内腔を有する胴部を備える本体と、
前記本体に回転可能に連結された第１の顎と、
第２の顎と、
前記第１の顎から延在する近位アームであって、前記近位アームの少なくとも一部が前記本体から露出する、近位アームと、
を備え、
前記近位アームの露出部分と前記本体とに印加される力が前記第１の顎を前記第２の顎に対して回転させるように前記装置が構成され、前記胴部の前記内腔を通じた作動ロッドの前進が前記第１の顎を前記第２の顎に対して回転させるように前記装置が構成された、装置。
（項目２）
前記内腔が近位セグメントと遠位セグメントとを備え、前記近位セグメントの直径が前記遠位セグメントの直径よりも大きい、項目１に記載の装置。
（項目３）
前記内腔が前記近位セグメントと前記遠位セグメントとの間に中間セグメントをさらに備え、前記中間セグメントの直径が前記近位セグメントの直径及び前記遠位セグメントの直径よりも大きい、項目２に記載の装置。
（項目４）
前記装置の少なくとも一部が少なくとも１種の磁性材料または強磁性材料から形成された、項目１に記載の装置。
（項目５）
前記第１の顎に取り付けられた偏心カム部材をさらに備え、前記偏心カム部材の回転が前記第１の顎を回転させるように構成された、項目１に記載の装置。
（項目６）
前記近位アームが湾曲セグメントを備える、項目１に記載の装置。
（項目７）
前記近位アームが、前記湾曲セグメントと前記第１の顎との間に位置する直線状セグメントをさらに備える、項目６に記載の装置。
（項目８）
前記第１の顎が前記第２の顎に向けて回転的に偏向する、項目１に記載の装置。
（項目９）
組織を把持するためのシステムであって、
貫通する内腔を有する胴部を備える本体と、前記本体に回転可能に連結された第１の顎と、第２の顎と、を備えるグラスパー、及び
把柄と、前記グラスパーに着脱可能に連結するように構成された遠位係合部と、前記把柄と前記遠位係合部とを接続するシャフトと、作動ロッドと、を備える送達装置、
を含み、
前記第１の顎を前記第２の顎に対して回転させるために前記作動ロッドが前記内腔を通じて前進可能である、
システム。
（項目１０）
前記送達装置が拡張可能な遠位端を有するロッキングシースを備え、前記送達装置が前記胴部の前記内腔内で前記拡張可能な遠位部分を非拡張形態から拡張形態へと拡張させて前記ロッキングシースを前記グラスパーに連結させるように構成された、項目９に記載のシステム。
（項目１１）
前記内腔が近位セグメントと遠位セグメントとを備え、前記近位セグメントの直径が前記遠位セグメントの直径よりも大きく、
前記ロッキングシースの前記拡張可能な遠位部分が非拡張形態において前記近位セグメントを通じて前進することができ、前記ロッキングシースの前記拡張可能な遠位部分が前記非拡張形態にある場合に前記近位セグメントを通じて前進するのを防ぐことができる、項目１０に記載のシステム。
（項目１２）
前記内腔が前記近位セグメントと前記遠位セグメントとの間に中間セグメントをさらに備え、前記中間セグメントの直径が前記近位セグメントの直径及び前記遠位セグメントの直径よりも大きく、
前記ロッキングシースの前記拡張可能な遠位部分が前記中間セクションにおいて拡張するように構成され、前記ロッキングシースの前記拡張可能な遠位部分が拡張した場合に前記近位セグメントを通じた前記ロッキングシースの前記拡張可能な遠位部分の引き込みが防がれる、項目１１に記載のシステム。
（項目１３）
前記作動ロッドが前記ロッキングシース内に配置され、前記作動ロッドの前記ロッキングシースに対する前進が前記ロッキングシースの前記拡張可能な遠位部分を拡張させるように構成された、項目１０に記載のシステム。
（項目１４）
前記ロッキングシースの前記拡張可能な遠位部分が前記作動ロッドの少なくとも１つの窪みに適合するように構成された少なくとも１つの内部突起部を備える、項目１３に記載のシステム。
（項目１５）
前記作動ロッドの前記ロッキングシースに対する前進が、前記少なくとも１つの内部突起部を前記少なくとも１つの窪みに対してスライドさせて前記ロッキングシースの前記拡張可能な遠位部分を拡張させる、項目１４に記載のシステム。
（項目１６）
前記遠位係合部が連結磁石を備える、項目９に記載のシステム。
（項目１７）
前記連結磁石の牽引が前記グラスパーを前記遠位係合部から分離させる、項目１６に記載のシステム。
（項目１８）
前記作動ロッドの牽引が前記連結磁石を牽引するように構成された、項目１７に記載のシステム。
（項目１９）
前記遠位係合部が、前記連結磁石を前進位置へと偏向させるために配置されたばねを備える、項目１６に記載のシステム。
（項目２０）
前記本体に対する近位アームの回転が前記第１の顎を前記第２の顎から離れるように回転させるように、前記第１の顎に接続された近位アームを前記グラスパーが備える、項目９に記載のシステム。
（項目２１）
前記グラスパーが、前記第１の顎に取り付けられた偏心カム部材を備え、前記偏心カム部材の回転が前記第１の顎を回転させるように構成された、項目２０に記載のシステム。
（項目２２）
前記近位アームが湾曲セグメントを備える、項目２０に記載のシステム。
（項目２３）
前記近位アームが、前記湾曲セグメントと前記第１の顎との間に位置する直線状セグメントをさらに備える、項目２２に記載のシステム。